(57)【要約】【課題】ベランダなどに設置された手摺が長期間に亘って風雨にさらされても、支柱の取付部での錆発生によるコンクリート躯体のクラック発生、それに伴う支柱の立設固定強度低下、手摺の転落等を防止できる手摺の支柱取付構造を提供することを目的とする。【解決手段】手摺の支柱１は、断面形状がＨ形、Ｔ形等のアルミニウム合金製の中実の形材のみからなり、支柱の埋込部１ｂもアルミニウム合金製の形材のみからなる。この支柱の埋込部１ｂがコンクリート躯体７に形成された据付穴８に充填された無収縮性モルタル９を介在させて据付穴８に固定されている。支柱の埋込部には錆発生源となるスチール部材などがないため、支柱１が取り付けられているコンクリート躯体７にクラックは発生しない。【選択図】図３
2007070897.tif 000002
【特許請求の範囲】
【請求項１】
アルミニウム合金製の形材を組み付けて形成した手摺の支柱をコンクリート躯体に立設固定する手摺の支柱取付構造であって、
前記支柱がアルミニウム合金製の中実の形材のみからなり、該アルミニウム合金製の形材のみからなる支柱の埋込部が、コンクリート躯体に形成された据付穴に充填された無収縮性モルタル又は樹脂材を介在させて該据付穴に固定されていることを特徴とする手摺の支柱取付構造。
【請求項２】
前記支柱は、その断面形状がＨ形、Ｔ形、Ｉ形、コの字形、円形、又はＬ形であることを特徴とする請求項１に記載の手摺の支柱取付構造。
【請求項３】
アルミニウム合金製の形材を組み付けて形成した手摺の支柱をコンクリート躯体に立設固定する手摺の支柱取付構造であって、
前記支柱が、アルミニウム合金製の受け部材を間に挟んで固定した少なくとも２枚のアルミニウム合金製の長尺板状部材で形成されると共に、該受け部材の一部が支柱を構成する長尺板状部材の下方に突出して支柱の埋込部を形成し、該支柱の埋込部がコンクリート躯体に形成された据付穴に充填された無収縮性モルタル又は樹脂材を介在させて該据付穴に固定されていることを特徴とする手摺の支柱取付構造。
【発明の詳細な説明】
【技術分野】
【０００１】
本発明は、コンクリート建造物のベランダや外廊下に立設固定される手摺の支柱取付構造に関し、特に、手摺を構成する支柱をアルミニウム合金製の形材で構成し、アルミニウム合金製の形材のみからなる支柱下方における埋込部が、錆発生源となるスチール部材などを介在させることなくコンクリート躯体に直接埋め込まれている手摺の支柱取付構造に関する。
【背景技術】
【０００２】
ベランダや外廊下に設置される手摺は、金属製の形材からなる支柱、方立、笠木、下弦材、上弦材、手摺子（格子）、金網、パネル等が適宜に組み付けられて構成されている。図１３に、一般的な手摺の一例を示す。手摺５１は、軽量化を図るためアルミニウム合金製の形材からなる笠木５２、下弦材５３、上弦材５４、手摺子５５、支柱５６等が組み付けられて構成されたものである。従来、アルミニウム合金製の手摺としては、手摺を構成する支柱がアルミニウム合金製の角パイプからなるもの（例えば、特許文献１の段落番号０００３〜０００５参照。）、支柱がアルミニウム合金製の断面Ｈ形の形材からなるもの（例えば、特許文献２の段落番号００１４参照。）等が知られている。
【０００３】
従来の前者手摺（特許文献１の段落番号０００３〜０００５参照。）は、図１４に示すように、支柱５６がアルミニウム合金製の角パイプ５７からなり、ベランダの立ち上がり部のコンクリート躯体５９に取り付けられたときに強度を維持するために、角パイプ５７の内部に心材として補強用のスチール部材（パイプ）５８が差し込み固定されている。この支柱５６をコンクリート躯体５９に立設固定する場合、コンクリート躯体５９に形成された据付穴６０に支柱５６下方のスチール部材（パイプ）５８からなる埋込部を仮設置し、次いで隙間にモルタル６１又は樹脂材を注入し固定している。
【０００４】
従来の後者手摺（特許文献２の段落番号００１４参照。）は、図示を省略するが、断面Ｈ形の形材からなる支柱は、柱材とコンクリート躯体に固定されたねじ棒とをブラケットで連結して立設される。連結部材であるブラケットは、高ナットの上部に一対のＬ形部材を拝み合わせに溶着したもので、高ナットをねじ棒に締め付けてコンクリート躯体に取付固定してから、支柱を形成するＨ形形材のウエブを一対のＬ形部材の間の隙間に挿入してボルトで固定する。
【特許文献１】特開２００２−２１２８４号公報
【特許文献２】特開２０００−１２９７７４号公報
【発明の開示】
【発明が解決しようとする課題】
【０００５】
前記従来の前者手摺は、ベランダに取り付けられて風雨にさらされて１０年、あるいはそれ以上経過すると、笠木５２や下弦材５３のビス取付孔から支柱５６内にしみ込んでくる雨水、及び角パイプ内の結露水が支柱内部に溜まってくる。特に、角パイプ５７とスチール部材（パイプ）５８からなる支柱５６は、その下端部が硬化したモルタル６１や樹脂材で封鎖され、漏水する箇所がなく、上方部分からの蒸発量も少ないため、常時スチール部材５８は水に浸っている。その結果、角パイプ５７内に固定されているスチール部材５８は長年に亘る腐食、錆発生により膨張し、そのために、支柱取付部におけるモルタル、硬化樹脂、コンクリート等にクラック６２が発生して水がしみ出し、コンクリート躯体５９の強度低下、支柱の立設固定強度の低下が生じ、手摺転落の危険が生じる、という問題がある。
【０００６】
また、前記従来の後者手摺は、支柱取付部にねじ棒、高ナット、高ナットに溶着した一対のＬ形部材等を用いるため、部品点数が多く、支柱取付構造が複雑になる、という問題がある。また、支柱がねじ棒で支持されるため、ねじ棒の錆発生による強度低下に問題があり、さらに、ねじ棒に一対のＬ形部材を溶着した高ナットを回転締め付けてからＬ形部材の隙間にＨ形形材のウエブを挿入するため、支柱のウエブとＬ形部材の隙間とが平行にならない場合もあり、この場合は、支柱を立設固定することができない、という問題がある。
【０００７】
そこで、本発明は、前述したような従来技術の問題を解決し、手摺が長期間に亘って風雨にさらされても、支柱の取付部での錆発生によるコンクリート躯体のクラック発生、それに伴う支柱の立設固定強度低下、手摺の転落等を防止でき、支柱のコンクリート躯体への取付構造をシンプルとし、取付工期の短縮化が図れると共に、支柱の立設固定を容易にできる手摺の支柱取付構造を提供することを目的とする。
【課題を解決するための手段】
【０００８】
前記課題の解決手段として、請求項１に係る本発明は、アルミニウム合金製の形材を組み付けて形成した手摺の支柱をコンクリート躯体に立設固定する手摺の支柱取付構造であって、前記支柱がアルミニウム合金製の中実の形材のみからなり、該アルミニウム合金製の形材のみからなる支柱の埋込部が、コンクリート躯体に形成された据付穴に充填された無収縮性モルタル又は樹脂材を介在させて該据付穴に固定されている手摺の支柱取付構造、という構成としたものである。
【０００９】
請求項２に係る本発明は、前記請求項１に係る手摺の支柱取付構造において、支柱の断面形状がＨ形、Ｔ形、Ｉ形、コの字形、円形、又はＬ形である、という構成としたものである。
【００１０】
請求項３に係る本発明は、アルミニウム合金製の形材を組み付けて形成した手摺の支柱をコンクリート躯体に立設固定する手摺の支柱取付構造であって、前記支柱が、アルミニウム合金製の受け部材を間に挟んで固定した少なくとも２枚のアルミニウム合金製の長尺板状部材で形成されると共に、該受け部材の一部が支柱下方に突出して支柱の埋込部を形成し、該支柱の埋込部がコンクリート躯体に形成された据付穴に充填された無収縮性モルタル又は樹脂材を介在させて該据付穴に固定されている手摺の支柱取付構造、という構成としたものである。
【発明の効果】
【００１１】
請求項１に係る本発明によれば、手摺の支柱がアルミニウム合金製の中実の形材のみからなり、該アルミニウム合金製の形材のみからなる支柱の埋込部がコンクリート躯体に形成された据付穴に充填された無収縮性モルタル又は樹脂材を介在させて該据付穴に固定されているので、コンクリート躯体に埋め込まれている支柱にはアルミニウム合金製の形材以外にスチールのような錆発生源となる部材がないと共に、支柱自体に水が溜まる箇所もないため、手摺が長期に亘って風雨にさらされても、支柱の取付部での錆発生などによる膨張を防止でき、その結果、コンクリート躯体のクラック発生を防止することができ、支柱のコンクリート躯体への取付部分における強度低下を防止することができる。
【００１２】
さらに、支柱がアルミニウム合金製の中実の形材のみからなり、この支柱がスチール部材などを介在させることなく直接コンクリート躯体の据付穴に無収縮性モルタル又は樹脂材を介在させて固定される構造であるため、支柱取付構造をシンプルとすることができ、新規に手摺を設置する場合、あるいは古い手摺を取り外して新しい手摺に改装して設置する場合など、工期短縮化を図ると共に、コンクリート躯体への支柱取付固定を容易に行うことができる。
【００１３】
請求項２に係る本発明によれば、支柱は、断面形状がＨ形、Ｔ形、Ｉ形、コの字形、円形、Ｌ形等のいずれかの形材で形成されているので、中実（無垢）のアルミニウム合金製の支柱を押し出し成形により容易に製造することができる。
【００１４】
請求項３に係る本発明によれば、手摺の支柱がアルミニウム合金製の受け部材を間に挟んで固定した少なくとも２枚のアルミニウム合金製の長尺板状部材で形成されると共に、該受け部材の一部が支柱下方に突出して支柱の埋込部を形成し、該支柱の埋込部がコンクリート躯体に形成された据付穴に充填された無収縮性モルタル又は樹脂材を介在させて該据付穴に固定されているので、コンクリート躯体内に埋め込まれた受け部材に錆発生源となる部材がないと共に、水が溜まる箇所もないため、手摺が長期に亘って風雨にさらされても、支柱の取付部での錆発生などによる膨張を防止でき、その結果、コンクリート躯体のクラック発生を防止することができ、支柱のコンクリート躯体への取付部分における強度低下を防止することができる。
【００１５】
さらに、支柱がアルミニウム合金製の受け部材及び長尺板状部材で形成され、受け部材の一部が支柱下方に突出して支柱の埋込部を形成し、該支柱の埋込部がコンクリート躯体に形成された据付穴に充填された無収縮性モルタル又は樹脂材を介在させて該据付穴に固定される取付構造であるから、支柱取付構造をシンプルとすることができ、新規に手摺を設置する場合、古い手摺を取り外して新しい手摺に改装して設置する場合など、工期短縮化を図ると共に、コンクリート躯体に支柱を容易に立設固定することができる。
【発明を実施するための最良の形態】
【００１６】
本発明の実施例１を図１〜図３に基づいて説明する。手摺（図示略）は、アルミニウム合金製の形材からなる支柱、笠木、下弦材、手摺子等を組み付けて形成したもので、手摺の支柱１は、押し出し成形により形成された断面Ｈ形の形材のみからなる。この支柱１には、手摺子下端を支持する下弦材２が支柱１のウエブ１ａに固着した係着具３を介して取り付けられる。また、支柱１の最上端には、笠木ホルダー５がボルト５ａで支柱１のウエブ１ａに固着され、この笠木ホルダー５にアルミニウム合金製の笠木４が取り付けられる。笠木４は、笠木胴縁４ａと笠木本体４ｂとからなり、図示は省略するが、笠木胴縁４ａの下面側に手摺子上端が固定される。
【００１７】
手摺をベランダなどに設置する場合、手摺の支柱１はベランダの立ち上がり部におけるコンクリート躯体７に立設固定される。図３に示すように、支柱１は、コンクリート躯体７に形成された据付穴８に支柱下方における埋込部１ｂが仮設置されてから、両者の間にできた隙間に無収縮性モルタル９が注入される。このように据付穴８に注入され充填された無収縮性モルタル９が硬化し、支柱１は無収縮性モルタル９を介在させて据付穴８に固定されることにより、コンクリート躯体７に強固に立設固定される。
【００１８】
実施例２を図４、図５に基づいて、前記実施例１と共通する部材（コンクリート躯体７、据付穴８、無収縮性モルタル９等）には同一符号を付して説明する。手摺の支柱１１は、前記実施例１と同じように、押し出し成形により形成された断面Ｈ形のアルミニウム合金製形材のみからなる。この支柱１１には、手摺子下端を支持する下弦材１２及び手摺子上端を固定する上弦材１３が支柱１１のフランジ１１ａにそれぞれ固着した係着具１４を介して取り付けられる。また、支柱１１の最上端には、笠木ホルダー１６がボルト１６ａで支柱１１のウエブ１１ｂに固着され、この笠木ホルダー１６にアルミニウム合金製の笠木１５が取り付けられる。笠木１５は、断面Ｔ形状の笠木胴縁１５ａと笠木本体１５ｂとからなる。
【００１９】
手摺をベランダなどに設置する場合、手摺の支柱１１は、ベランダの立ち上がり部におけるコンクリート躯体７に立設固定される。図５に示すように、手摺の支柱１１は、コンクリート躯体７に形成された据付穴８に支柱下方における埋込部１１ｃが仮設置されてから、両者の間にできた隙間に無収縮性モルタル９が注入される。このように据付穴８に注入され充填された無収縮性モルタル９が硬化し、支柱１１は無収縮性モルタル９を介在させて据付穴８に固定されることにより、コンクリート躯体７に強固に立設固定される。
【００２０】
実施例３を図６、図７に基づいて説明する。手摺の支柱２１は、押し出し成形により形成された断面Ｔ形の形材のみからなる。この支柱２１には、手摺子下端を支持する下弦材２２及び手摺子上端を固定する上弦材２３が、それぞれ支柱２１のウエブ２１ａに固着した係着具２４を介して取り付けられる。また、支柱２１の最上端には、笠木ホルダー２６がボルト２６ａで支柱２１のウエブ２１ａに固着され、この笠木ホルダー２６にアルミニウム合金製の笠木２５が取り付けられる。
【００２１】
手摺をベランダなどに設置する場合、手摺の支柱２１は、ベランダの立ち上がり部におけるコンクリート躯体７に立設固定される。図７に示すように、支柱２１は、コンクリート躯体７に形成された据付穴８に支柱下方の埋込部２１ｂが仮設置されてから、両者の間にできた隙間に無収縮性モルタル９が注入される。このように据付穴８に注入され充填された無収縮性モルタル９が硬化し、支柱２１は無収縮性モルタル９を介在させて据付穴８に固定されることにより、コンクリート躯体７に強固に立設固定される。
【００２２】
実施例４を図８〜図１０に基づいて説明する。支柱３１は、押し出し成形により形成された断面Ｉ形の形材のみからなり、外観向上のためにカバー３１ｂが必要に応じて適宜に取り付けられる。この支柱３１には、手摺子下端を支持する下弦材３２及び手摺子上端を固定する上弦材３３が支柱３１のウエブ３１ａに固着した係着具３４を介してそれぞれ取り付けられる。また、支柱３１の最上端には、笠木ホルダー３６がボルト３６ａで支柱３１のウエブ３１ａに固着され、この笠木ホルダー３６にアルミニウム合金製の笠木３５が取り付けられる。
【００２３】
手摺をベランダなどに設置する場合、手摺の支柱３１は、ベランダの立ち上がり部におけるコンクリート躯体７に立設固定される。図１０に示すように、手摺の支柱３１は、コンクリート躯体７に形成された据付穴８に断面Ｉ形形状の下方における埋込部３１ｃ（カバー３１ｂが取り付けられていない部分）が仮設置されてから、両者の間にできた隙間に無収縮性モルタル９が注入される。このように据付穴８に注入され充填された無収縮性モルタル９が硬化し、支柱３１は無収縮性モルタル９を介在させて据付穴８に固定されることにより、コンクリート躯体７に強固に立設固定される。なお、図８中の符号３１ｄはリング状の化粧カバーであり、支柱３１の取付部における外観を向上させるためのものである。
【００２４】
以上、実施例１〜４で支柱取付構造について説明したが、これら支柱取付構造によると、各支柱１，１１，２１，３１がアルミニウム合金製の形材のみからなると共に、支柱下方の埋込部もアルミニウム合金製の形材のみからなるので、スチールのような錆発生源となる部材がなく、水が溜まる箇所もない。そのため、手摺が長期に亘って風雨にさらされても、各支柱１，１１，２１，３１のコンクリート躯体７への取付部分（埋込部）での錆発生が生じない。
【００２５】
その結果、コンクリート躯体７のクラック発生、クラックによりコンクリート躯体が脆くなる危険を回避することができ、支柱のコンクリート躯体７への取付部分における強度低下を防止することができる。また、このような支柱取付構造とする場合、アルミニウム合金製の形材のみからなる支柱を据付穴８に仮設置し、無収縮性モルタル９を注入するだけでよいので、設置工期の短縮を図ることができる。
【００２６】
なお、実施例１〜４として、支柱を構成するアルミニウム合金製の形材が断面形状がＨ形、Ｔ形、Ｉ形のものを示したが、そのほかに、支柱は、アルミニウム合金の押し出し成形により形成された断面形状がコの字形、円形、Ｌ形等の形材で形成されていてもよく、要するに、支柱がアルミニウム合金製の中実（無垢）の形材のみからなり、錆を発生させるようなスチールなどが設けられていないものであればよい。
【００２７】
実施例５を図１１，図１２に基づいて説明する。手摺（図示略）は、アルミニウム合金製の形材からなる支柱、笠木、下弦材、手摺子等を組み付けて形成される。支柱４１は、２枚のアルミニウム合金製の長尺板状部材４１ａ、４１ａでアルミニウム合金製の受け部材４１ｂを両側から挟み込んでボルト４２で固定して形成したものである。受け部材４１ｂは、図１１に示すように、支柱４１下方で長尺板状部材４１ａ、４１ａの下端から突出され、この突出した部分４１ｃが埋込部となってコンクリート躯体７に埋め込まれるようになる。
【００２８】
上記のように、支柱４１を構成する長尺板状部材４１ａ、４１ａ及び受け部材４１ｂは、それぞれ押し出し成形により形成された形材であるが、受け部材４１ｂとしては長尺のもので形成し、後記する笠木ホルダー４６に至る長さとしてもよく、この場合は、支柱４１全体が長尺板状部材４１ａ、４１ａ及び受け部材４１ｂからなる三重構造のものとなる。さらに、支柱４１の強度増強を図る場合は、長尺板状部材４１ａの枚数を増やして数枚としても構わない。また、受け部材４１ｂはアルミニウム合金製の押し出し成形によるものとしてもよいが、短い場合はアルミニウム合金製の鋳造品としても構わない。
【００２９】
図１１に示すように、支柱４１には、手摺子下端を支持する下弦材４３及び手摺子上端を固定する上弦材４４が、それぞれ支柱４１を構成する板体４１ａに固着した係着具４５を介して取り付けられる。また、支柱４１の最上端には、笠木ホルダー４６がボルト（図示略）で固着され、笠木ホルダー４６にアルミニウム合金製の笠木４８がボルト４７で取り付けられる。笠木４８は、断面Ｔ形状の笠木胴縁４８ａと笠木本体４８ｂとからなる。
【００３０】
手摺をコンクリート躯体に取り付ける場合、手摺の支柱４１は、ベランダの立ち上がり部におけるコンクリート躯体７に立設固定される。図１２に示すように、支柱４１は、コンクリート躯体７に形成された据付穴８に支柱４１の下方における埋込部である受け部材４１ｂが仮設置されてから、両者の間にできた隙間に無収縮性モルタル９が注入される。このように据付穴８に注入され充填された無収縮性モルタル９が硬化し、支柱４１は無収縮性モルタル９を介在させて据付穴８に固定されることにより、コンクリート躯体７に強固に立設固定される。
【００３１】
上記のような支柱取付構造とすると、支柱４１がアルミニウム合金製の長尺板状部材４１ａ、４１ａ及び受け部材４１ｂとからなり、スチールのような錆発生源となる部材がないと共に、水が溜まる箇所もないため、手摺が長期に亘って風雨にさらされても、支柱４１のコンクリート躯体７への取付部分（埋込部）での錆発生などによる膨張を防止できる。
【００３２】
その結果、コンクリート躯体７のクラック発生、クラックによりコンクリート躯体が脆くなる危険を回避することができ、支柱のコンクリート躯体７への取付部分における強度低下を防止することができる。また、このような支柱取付構造とする場合、アルミニウム合金製の形材のみからなる支柱を据付穴８に仮設置し、無収縮性モルタル９を注入するだけでよいので、設置工期の短縮を図ることができる。
【００３３】
以上実施例１〜５について説明したが、支柱の埋込部を固定するために用いる無収縮性モルタルの代わりに樹脂材を用いてもよく、この場合は、樹脂材としては、骨材と不飽和ポリエステル樹脂あるいはエポキシ系樹脂とからなるレジンコンクリートを用いてもよく、この場合も無収縮性モルタル９を用いた場合と同じ作用効果を奏する。また、実施例１〜５における笠木ホルダー５，１６，２６，３６，４６は、アルミニウム合金製のものとすることが好ましいが、ステンレススチール製のものとしても構わない。
【図面の簡単な説明】
【００３４】
【図１】本発明の実施例１における手摺の要部分解斜視図である。
【図２】支柱の断面図である。
【図３】支柱取付構造の説明図である。
【図４】本発明の実施例２における手摺の要部分解斜視図である。
【図５】支柱取付構造の説明図である。
【図６】本発明の実施例３における手摺の要部分解斜視図である。
【図７】支柱取付構造の説明図である。
【図８】本発明の実施例４における手摺の要部分解斜視図である。
【図９】支柱の断面図である。
【図１０】支柱取付構造の説明図である。
【図１１】本発明の実施例５における手摺の要部分解斜視図である。
【図１２】支柱取付構造の説明図である。
【図１３】手摺の正面図である。
【図１４】従来における手摺の支柱取付構造の説明図である。
【符号の説明】
【００３５】
１      支柱                          １ａ    ウエブ
１ｂ    埋込部                        ２      下弦材
３      係着具                        ４      笠木
４ａ    笠木胴縁                      ４ｂ    笠木本体
５      笠木ホルダー                  ５ａ    ボルト
７      コンクリート躯体              ８      据付穴
９      無収縮性モルタル              １１    支柱
１１ａ  フランジ                      １１ｂ  ウエブ
１１ｃ  埋込部                        １２    下弦材
１３    上弦材                        １４    係着具
１５    笠木                          １５ａ  笠木胴縁
１５ｂ  笠木本体                      １６    笠木ホルダー
１６ａ  ボルト                        ２１    支柱
２１ａ  ウエブ                        ２１ｂ  埋込部
２２    下弦材                        ２３    上弦材
２４    係着具                        ２５    笠木
２５ａ  笠木胴縁                      ２５ｂ  笠木本体
２６    笠木ホルダー                  ２６ａ  ボルト
３１    支柱                          ３１ａ  ウエブ
３１ｂ  カバー                        ３１ｃ  埋込部
３１ｄ  リング状化粧カバー            ３２    下弦材
３３    上弦材                        ３４    係着具
３５    笠木                          ３６    笠木ホルダー
３６ａ  ボルト                        ４１    支柱
４１ａ  長尺板状部材                  ４１ｂ  受け部材
４１ｃ  突出した部分                  ４２    ボルト
４３    下弦材                        ４４    上弦材
４５    係着具                        ４６    笠木ホルダー
４７    ボルト                        ４８    笠木
４８ａ  笠木胴縁                      ４８ｂ  笠木本体
【図１】
2007070897.tif 000003
【図２】
2007070897.tif 000004
【図３】
2007070897.tif 000005
【図４】
2007070897.tif 000006
【図５】
2007070897.tif 000007
【図６】
2007070897.tif 000008
【図７】
2007070897.tif 000009
【図８】
2007070897.tif 000010
【図９】
2007070897.tif 000011
【図１０】
2007070897.tif 000012
【図１１】
2007070897.tif 000013
【図１２】
2007070897.tif 000014
【図１３】
2007070897.tif 000015
【図１４】
2007070897.tif 000016